(57)【要約】      （修正有）【課題】気液分離装置、逆火防止器等の付帯装置が簡便に連結され、ＨＨＯガスが漏れる危険を排除し、液面、温度の安定等が図られた、加圧された水蒸気とＨＨＯガスを含む混合気体の発生装置とその利用方法の提供。【解決手段】圧力容器１−１の下部液相部１−３に電解液を入れ、液中にＨＨＯガスの発生装置１−６を組み込み、上部の気相部１−２に発生した気体の蓄積空間を設けて、液面に気液分離装置１−５を設置して、気液分離を促進する。弁１−１１と逆火防止器１−２４の出口に配管１−１２を取り付けて混合気体を通過させ使用する。容器内の水位は、水位センサー１−４と制御装置１−２２で制御される。液温の制御は容器１−１に設置した温度センサー１−８と制御装置１−２２で制御される熱交換器１−２３と加熱器１−７で、設定した目的の温度に制御される。生成したガスは既存のピストンエンジン、ロータリーエンジンの駆動燃料などとして利用する。【選択図】図１
2018031067.tif 000002
【特許請求の範囲】
【請求項１】
共通の圧力容器の下部液相部に水素、酸素混合気体の発生装置と加熱装置を組み込み、液面に汽水分離装置を設置し、泡の発生と揺れに依る液面の変化を抑制する。
上部の気相部に発生した気体の蓄積空間に加熱装置とガス出口に弁と逆火防止装置を設置し一体化、小型化した設備。
液温の制御は容器に設置した温度センサーと制御装置で制御される冷却器と加熱装置で、制御装置で設定した目的の温度に制御される装置。
気体の制御は容器に設置した温度センサーと圧力センサーと制御装置で制御されるＨＨＯガス発生装置とガス加熱器で、制御装置で設定した目的の温度、圧力に制御される、「加圧された水蒸気とＨＨＯガスの混合気体」発生装置
【請求項２】
「加圧された水蒸気とＨＨＯガスの混合気体」で水蒸気爆発を発生させて圧力差で動くエンジン。
【請求項３】
「加圧された水蒸気とＨＨＯガスの混合気体」で水蒸気爆発を発生させて圧力差で動く燃焼室とタービンが一体化した設備。
【請求項４】
「加圧された水蒸気とＨＨＯガスの混合気体」で水蒸気爆発を発生させて圧力差で動く燃焼室とタービンが配管で分離した設備。
【請求項５】
「加圧された水蒸気とＨＨＯガスの混合気体」で水蒸気爆発を発生させて外気との圧力差で動くタービンと、タービンと同一の軸上に設けたタービンファンで外気を加圧し噴出して、大気中を推進する装置。
【請求項６】
「加圧された水蒸気とＨＨＯガスの混合気体」で水蒸気爆発を発生させて圧力差で動くタービンと、タービンと同一の軸上に設けた減速機付きスクリューで水を加圧し噴出して、水中で推進する装置と水中で消音した装置。
【請求項７】
加圧された水蒸気とＨＨＯガスの混合気体で水蒸気爆発を発生させて、噴出する水蒸気で推進するロッケト推進装置。
【請求項８】
加圧された水蒸気とＨＨＯガスの混合気体で水蒸気爆発を発生させて、任意の圧力の水蒸気を発生させる小型化した装置。
【請求項９】
加圧された水蒸気とＨＨＯガスの混合気体で水蒸気爆発を発生させて、水と直接熱交換させ任意の温度の温水を発生させる小型化した装置。
【発明の詳細な説明】
【技術分野】
【０００１】  この発明は、「加圧された水蒸気とＨＨＯガスを含む混合気体」の発生装置とその利用についてである。
従来の「炭素を含む可燃物の燃焼で得られるエネルギー」の代りとなるガス状のエネルギーとして水素ガスやＨＨＯガス発生装置で作成するＨＨＯガス（ブラウンガス）がある。
この発明は、「加圧された水蒸気とＨＨＯガスを含む混合気体」の（ＨＨＯガス）を燃焼しその高熱高温を利用して、「加圧された水蒸気とＨＨＯガスを含む混合気体」の水を意図し水蒸気爆発させその力を利用する方法についての発明である。
【背景技術】
【０００１】  ▲１▼ＨＨＯガス（ブラウンガス）発生装置と汽水分離装置と引火防止器は自作方法が公開されキット製品も販売している。
ＨＨＯガスの利用方法は金属の切断機として自作方法が公開されているし商品化もしている。
また自動車エンジンの燃料としいての使用方法または燃焼空気（大気）に混合し燃費の削減している例も公開されている。
ブラウンガスを大気中で燃やすと、火炎の温度は２８０℃と低温である。
金属やセラミックなどに接触するとタングステンや耐火材が溶融するほど高温になることが知られており、鉄やステンレスの切断、灰の溶融、融点の高いタングステンなどの金属も溶融で実用化している。
▲２▼水素ガスは発火点になると燃焼する。水素と酸素が２：１の混合ガスは、常圧において約５７０°Ｃで燃焼する。
そのような混合気体へ着火するのに必要なスパークの最小エネルギーは、約２０マイクロジュールである。
常温常圧では、水素が体積の４％から９５％を占めている場合燃焼する。
▲３▼この混合気体は燃焼により爆縮し水になるが同時に水蒸気と変わる。
▲４▼１モルの水素の燃焼につき２４１．８ｋｊのエネルギー（低発熱量）を発生する。
▲５▼水蒸気爆発の現象は高温の熱源に水が接触した場合発生する。水は熱せられて水蒸気となった場合に体積が約１７００倍にもなるため、水の瞬間的な蒸発による体積の増大が起こり、それが爆発となる。
▲６▼水蒸気爆発には、界面接触型と全体反応型の２種類に大別される。
全体反応型は密閉空間内の水が高熱により急激に気化・膨張することで、密閉していた物質が一気に破砕されて起きるタイプの水蒸気爆発である。
▲７▼水素を燃料とするエンジンはあるが大気中の酸素に依存し燃焼している。
▲８▼「炭素を含む可燃物」の液体燃料や燃焼ガスで作られた水蒸気で駆動するタービンはあるが大気中の酸素に依存し燃焼している。
▲９▼「炭素を含む可燃物」の液体燃料や燃焼ガスで駆動するタービンはあるが大気中の酸素に依存し燃焼している。
▲１０▼液体水素と液体酸素を燃焼し燃焼ガス（水蒸気）で推進する装置はあるが２つのタンクと２つのポンプが必要でありその制御は複雑である。
▲１１▼「炭素を含む可燃物」の液体燃料や燃焼ガスの熱交換で作られる水蒸気ボイラーと温水ボイラーはある大気中の酸素に依存し燃焼している。
しかし、「炭素を含む可燃物」の燃焼で得られるエネルギーは地球温暖化と地球環境汚染になることが問題である。
【先行技術文献】
【特許文献】
【０００３】
【特許文献１】  ＷＯ２０１１０３０５５６Ａ１．水素および酸素の混合ガス発生装置およびそれを用いた内燃機関
【特許文献２】  ＪＰ２００２３４８６９４Ａ  特許名が不明です
【特許文献３】  ＪＰ２００３０７３８７７Ａ  特許名が不明です
【特許文献４】  ＪＰ２００４３５３０１９Ａ  特許名が不明です
【特許文献５】  ＪＰ２００５１７１３８３Ａ  特許名が不明です
【特許文献６】  ＪＰ２００６１６７６８３Ａ  特許名が不明です
【特許文献７】  ＪＰ２００９０３５８０４Ａ  特許名が不明です
【特許文献８】  ＪＰ２０１０２８５６７９Ａ  特許名が不明です
【特許文献９】  ＪＰ２０１１５２２１２３Ａ  特許名が不明です
【特許文献１０】  ＪＰＳ５３１００９９８Ａ    特許名が不明です
【非特許文献】
【０００４】
【非特許文献１】
【非特許文献２】
【発明の概要】
この発明は、ＨＨＯガス発生装置、蒸気発生装置、汽水分離装置、気体過熱蓄圧供給装置、逆火防止器、付帯設備や各種の検出装置を一体化して、制御装置と共に組み込んだことで安全性が向上し小型化した「加圧された水蒸気と水素と酸素（ＨＨＯガス）の混合気体」の発生装置である。
制御装置で発生ガスの性状を任意に設定し、消費量に合わせて発生させる装置である。
製造したガスの「加圧された水蒸気と水素と酸素（ＨＨＯガス）の混合気体」を燃焼し、その高熱高温を利用して、意図し水を水蒸気爆発させその力を利用する方法についての発明である。
【発明が解決しようとする課題】
【０００５】従来のＨＨＯガス発生装置には次の通り欠点が有った。
１、水素、酸素混合気体の発生装置と、汽水分離装置、逆火防止器が分離して設置され、配管で連結した複雑な装置である。
２、装置の付帯設備に水封設備がある。
３、既存の装置は配管が複雑でＨＨＯガスが漏れる可能性もあり危険である。
４、汽水分離がタンク内で自然に行われ移動体では揺れにより液面が波打つ。
５、液温が制御できないか外部の熱交換器で沸騰させないよう液温を制御している。
６、装置を常圧で使っているため、ガスの出口が何らかの理由で閉塞した時、微圧スイッチで電源を停止することで、圧力による破壊を防止する事例もある。
７、汽水分離装置で分離したガスは、液温以上にはならない。
８、ＨＨＯガスを化石燃料の代替燃料（バーナー、切断機、内燃機関の混焼補助燃料、その他）的に利用し、水蒸気爆発の熱源として意図して自在に使用していない。
９、エンジンや蒸気タービンやジェットエンジンはあるがいずれも「炭素を含む可燃物」を燃料として使い環境を汚染している。
本発明は、以上のような欠点をなくすためになされたものである。
【課題を解決するための手段】
【０００６】課題を解決する方法は下記の通りである。
「加圧された水蒸気と水素と酸素の混合気体」の発生装置圧である。
共通の圧力容器１−１の下部液相部１−３に電解液を入れ、液中にＨＨＯガス（ブラウンガス）の発生装置１−６を組み込み、上部の気相部１−２に発生した気体の蓄積空間を設けて、液面に気液分離装置（金属またはセラミックで作られたデミスター）１−５を設置して、汽液分離を促進し、揺動時に液面の波打ちを抑制する。
容器１−１の上部の気相部１−２に「加圧された水蒸気とＨＨＯガスを含む混合気体」の出口弁１−１１を設置する。
弁１−１１と逆火防止器１−２４の出口に配管１−１２を取り付けて「加圧された水蒸気とＨＨＯガスを含む混合気体」を通過して使用され、本体の安全を確保する。
移温動体の揺れによる液面の変化は汽水分離装置１−５により吸収される。
液温の制御は容器１−１に設置した温度センサー１−８と制御装置１−２２で制御される熱交換器１−２３と加熱器１−７で、設定した目的の温度に制御される。
発生した蒸気、水素、酸素混合気体１−０の制御は容器１−１に設置した温度センサー１−９と制御装置１−２２で制御される加熱器１−１３で、設定した目的の温度に制御される。
圧力容器１−１内の圧力は、容器１−１に設置した圧力センサー１−１０と制御装置１
−２２で制御されるガス発生装置と加熱器１−７、１−１３で、設定した目的の圧力に制御される。
容器内の水位は、容器に設置した水位センサー１−４と制御装置１−２２で制御される
給水装置１−２１で、弁１−１９を開き設定した目的の水位に制御され、電解液の濃縮されるのを防ぐ。
電解液の汚染度は容器に設置した汚染センサー１−１５と制御装置１−２２で電極電流を検出し弁１−２０を開き排水される。
電解液は容器下部に設置した弁１−１４、センサー１−１５、ろ過機Ａ１−１６、ろ過機Ｂ１−１７、熱交換器１−２３、給水装置１−２１、容器に設置した弁１−１４を通って循環する。汚染度センサーが汚染を検出した時制御装置１−２２で制御される、排水弁１−２０から排水される。
「加圧された水蒸気とＨＨＯガス含む混合気体」の利用方法について下記に説明する。
このガスは「加圧された水蒸気とＨＨＯガスを含む混合気体」を燃料として供給する事を特徴としている。
▲１▼炭素と含む可燃物と大気に依存しないエンジン
このエンジンの燃料は「加圧された水蒸気とＨＨＯガスを含む混合気体」である事を特徴としている。
金属またはセラミックで作成したシリンダー・ローターハウジングとピストン・ローターの間で容積の変化が軸の回転にかわる構造の設備の燃焼室で、このガス中に存在する水素と酸素を「間欠燃焼」した時、燃焼室のＨＨＯガスは高温を発生しその熱でガス中の水分が水蒸気爆発を発生する。
そのときシリンダー・ローターハウジングとピストン・ローターの間の容積は変化して軸の回転にかわる。
従ってこのガスを既存のピストンエンジン、ロータリーエンジンの駆動燃料として利用できる。
これの機関の吸気部を改造するだけで使用できる。
４サイクル機関を例で説明する。
弁の２−９の入口に直接、大気と遮断し、燃料ガス配管２−４を接続し「加圧された水蒸気とＨＨＯガスを含む混合気体」を供給する。
ピストンを上死点から下死点に移動するとき同時に吸気バルブを開き「加圧された水蒸気とＨＨＯガスを含む混合気体」の発生装置２−８で発生した燃料ガスが押し込まれる。
シリンダー内部には「加圧された水蒸気とＨＨＯガスを含む混合気体」を大量に吸気する。
ピストンが下死点を過ぎたとき吸気バルブが閉鎖し上死点に向かう時シリンダー内部の「加圧された水蒸気とＨＨＯガスを含む混合気体」は更に加圧される。
シリンダー内部の圧力ガス中の蒸気は圧力上昇と共に凝縮されて水になる。
シリンダーが上死点を超えた時、点火プラグの火花でガス中のＨＨＯガスが燃焼し水蒸気になる同時に高温が発生する。
同時にシリンダー内部の水が高熱で水蒸気爆発し、体積は膨張しピストンは押し下げられ下死点を通過した時、排気バルブが開きピストン上死点に達するまでに排気される。
以上の工程を繰り返しエンジンは動く。
この「加圧された水蒸気とＨＨＯガスを含む混合気体」を内燃機関のシリンダー内部に外気を含まずに「加圧された水蒸気とＨＨＯガスを含む混合気体」をピストン室内部で更に加圧したのち点火し、水蒸気爆発を意図して起こす。
このエンジンは大気中の酸素に依存しない。
このエンジンは燃料に炭素を含まず地球環境を汚染しない。
排気を復水器２−６で水に戻しガス発生装置２−８に戻す事で排気を外部に出すこともない。
▲２▼炭素と含む可燃物と大気に依存しないタービン
このガスは「加圧された水蒸気とＨＨＯガスを含む混合気体」である事を特徴としている。
金属またはセラミックで作成した燃焼室に外気を含まずに「加圧された水蒸気とＨＨＯガスを含む混合気体」を圧入しガス密度を上げたのち間欠的または連続的に点火し、水蒸気爆発を意図して起こす。
燃焼室３−１の出口にタービンの入り口３−３を取り付けタービンの出口に復水器３−７又は外気開放する、圧力容器に、この「加圧された水蒸気とＨＨＯガスを含む混合気体」を、外気を含まずに圧入しガス密度を上げ点火し、水蒸気爆発を意図的に発生させ、発生した高圧の水蒸気でタービン３−３を回し負荷３−５を回す。
連続または間欠して水蒸気爆発を発生すると圧力差でタービン３−３は連続して回転する。
タービンの形状はとくにはない。
既存の蒸気タービン、ガスタービン等が運転できる。
燃焼室とタービン分離し配管で接続してもよい。
このガスのみの連続燃焼機関は水以外排出ガスを出さない。
エンジンは大気に依存しない。
このエンジンは燃料に炭素を含まず地球環境を汚染しない。
排気を復水器で水に戻しガス発生装置に戻す事で排気を外部に出すこともないし大気中に排出してもよい。
▲３▼炭素と含む可燃物と大気に依存しない推進装置
このエンジンの燃料は「加圧された水蒸気とＨＨＯガスを含む混合気体」である事を特徴としている。
金属またはセラミックで作成した燃焼室に外気を含まずに「加圧された水蒸気とＨＨＯガスを含む混合気体」を圧入しガス密度を上げたのち点火し、水蒸気爆発を意図して起こす。
金属またはセラミックで作成した燃焼室４−２に外気を含まずに「加圧された水蒸気とＨＨＯガスを含む混合気体」を圧入しガス密度を上げたのち点火し、水蒸気爆発を意図して起こす。
燃焼室４−２の出口にタービン４−３の入り口を取り付け一体化し発生した高圧の水蒸気でタービンを回す。
連続または間欠して水蒸気爆発を発生すると圧力差でタービンは連続して回転する。
タービンの出口に外気開放し噴出するここで推進力となる。
またタービン４−３と同軸上にファンを取付け前部から空気４−８を吸収圧縮し後部から噴出４−９するここで推進力となる。
この「加圧された水蒸気とＨＨＯガスを含む混合気体」のみの完結または連続燃焼機関は水以外排出ガスを出さない。
タービンエンジンは大気に依存しない。
このエンジンは燃料に炭素を含まず地球環境を汚染しない。
排気を復水器で水に戻しガス発生装置に戻す事で排気を外部に出すこともないし大気中に排出してもよい。
▲４▼炭素と含む可燃物と大気に依存しない「水中での推進装置」
このエンジンの燃料は「加圧された水蒸気とＨＨＯガスを含む混合気体」である事を特徴としている。
金属またはセラミックで作成した燃焼室に外気を含まずに「加圧された水蒸気とＨＨＯガスを含む混合気体」を圧入しガス密度を上げたのち点火し、水蒸気爆発を意図して起こす。
燃焼室の出口にタービンの入り口を取り付け一体化し、発生した高圧の水蒸気でタービンを回す。
連続的に続または間欠して水蒸気爆発を発生すると圧力差でタービンは連続して回転する。
タービンの出口に外気開放し噴出するここで推進力となる。
またタービンと同軸上に減速機とスクリューを取付け前部から水を吸収圧縮し後部から噴出するここで推進力となる。
この装置の内部、外部に防音処理を施して置くと水中での駆動音、スクリューのキャビテーション音が消音される。
このガスのみの連続燃焼機関は水以外排出ガスを出さない。
タービンエンジンは大気の酸素に依存しない。
このエンジンは燃料に炭素を含まず地球環境を汚染しない。
排気を復水器で水に戻しガス発生装置に戻す事で排気を外部に出すこともない。
▲５▼液化した「水蒸気とＨＨＯガスを含む混合気体」で推進する装置。
このエンジンの燃料は液化した「水蒸気とＨＨＯガスを含む混合気体」である事を特徴としている。
「水蒸気とＨＨＯガスを含む混合気体」は水素ガスや酸素ガスより容易に液化する。
金属またはセラミックで作成した燃焼室に外気を含まずに液化した「水蒸気とＨＨＯガを含む混合気体」を圧入し気化しガス密度を上げたのち点火し、連続または間欠して水蒸気爆発を意図して起こし大量の水蒸気の噴出で推進する装置である。
装置は「液化した「水蒸気とＨＨＯガスを含む混合気体」」のひとつのタンクとひとつの弁とひとつのポンプと燃焼室と推進部と制御装置で構成する事を特徴とする。
この「液体燃料のみの推進する装置」は水以外排出ガスを出さない。
この「液体燃料のみの推進する装置」は大気の酸素に依存しないため、宇宙、空中、水中等如何なる環境でも推進する装置である。
このエンジンは燃料に炭素を含まず地球環境を汚染しない事である。
▲６▼炭素を含む可燃物と大気に依存しない「蒸気発生装置」
この「蒸気発生装置」の燃料は「加圧された水蒸気とＨＨＯガスを含む混合気体」である事を特徴としている。
金属またはセラミックで作成した燃焼室に外気を含まずに「加圧された水蒸気とＨＨＯガスを含む混合気体」を圧入したのち点火装置で点火し、水蒸気爆発を意図して起こす。
燃焼室の下部は水封されて、液面センサー、ポンプがあり制御装置で設定した値に制御される。
発生した蒸気は燃焼室の下部の開放部からデミスターを充填した蒸気室に  貯まり蒸気室上部の弁からとりだされる。
蒸気室には圧力センサー、温度センサーがあり、下部には弁とポンプがあり制御装置で設定した値に制御される。
この燃料が「加圧された水蒸気とＨＨＯガスを含む混合気体」である事は燃焼の結果、水以外排出ガスを出さない。
この「加圧された水蒸気と水素と酸素を含む混合気体」を燃料とする装置」は大気の酸素に依存しないため、宇宙、空中、水中等如何なる環境でも使用できる水蒸気発生装置である。
この装置は燃料に炭素を含まず地球環境を汚染しない。
▲７▼炭素を含む可燃物と大気に依存しない「温水発生装置」
この「温水発生装置」の燃料は「加圧された水蒸気とＨＨＯガスを含む混合気体」である事を特徴としている。
金属またはセラミックで作成した燃焼室  に外気を含まずに「加圧された水蒸気とＨＨＯガスを含む混合気体」  を圧入したのち点火装置  で点火し、水蒸気爆発を意図して起こす。
燃焼室の下部と温水室は水でみたされ、液面センサー、ポンプがあり制御装置で設定した値に制御される。
発生した蒸気は燃焼室の下部の開放部からデミスターを充填した温水室で直接熱交換され温水になり、弁からとりだされる。
温水室は圧力センサー、温度センサーがあり、下部には弁とポンプがあり制御装置で設定した値に制御される。
この燃料が「加圧された水蒸気とＨＨＯガスを含む混合気体」である事は燃焼の結果、水以外排出ガスを出さない。
この「「加圧された水蒸気とＨＨＯガスを含む混合気体」を燃料とする温水装置」は大気の酸素に依存しないため、宇宙、空中、水中等如何なる環境でも使用できる温水発生装置である。
以上が課題の解決方法である。
【発明の効果】
【０００７】１、電気エネルギーを気体「水蒸気とＨＨＯガスを含む混合気体」又は液体「水蒸気とＨＨＯガスを含む混合気体の液化した物」に変換し、既存の輸送技術で消費地まで輸送出来る
２、設備は１つに組み込まれ小型化出来る。
３、一体化する事で配管が少なくなり安全性が高まる。
４．「加圧された水蒸気とＨＨＯガスを含む混合気体」は大気に依存しない環境でも（宇宙、水中、不燃性ガス中（窒素、二酸化炭素、ヘリウム、アルゴン等））でも引火、発火する。
５．ガスの発生は制御され、「加圧された水蒸気とＨＨＯガス（ブラウンガス）を含む混合気体」の比率、温度、圧力は任意の値にできる。
６、使用量に合わせて「水蒸気とＨＨＯガスを含む混合気体」を連続的に発生する装置である。
７、この「加圧された水蒸気とＨＨＯガスを含む混合気体」は新しいタイプの燃料ガスである事を特徴としている
８、この「加圧された水蒸気とＨＨＯガスを含む混合気体」は既存の内燃機関（ピストンエンジン、ロータリーエンジン）燃料として利用できる。
９、これの内燃機関の吸気部を改造するだけで使用でき、大気と遮断し、吸気バルブの入口に直接、加圧ガスを供給する。
１０、この「加圧された水蒸気とＨＨＯガスを含む混合気体」を既存の内燃機関の金属またはセラミックでつくられた燃焼室に、に圧入しガス密度を上げ燃焼室内部で更に加圧したのち点火し、水蒸気爆発を意図して起こす。
１１、排気を復水器で水に戻しガス発生装置に戻す事で排気を外部に出すこともない。
１２、この「加圧された水蒸気とＨＨＯガスを含む混合気体」は燃焼室において適切に意図的に水蒸気爆発を発生させると任意の高圧の水蒸気が得られる。化石燃料の燃焼を伴はない蒸気ボイラー、温水ボイラーとなる。
１３、燃焼室の出口に、タービンの入り口を取り付けタービンの出口に、復水器又は外気開放する、圧力容器に、この「加圧された水蒸気とＨＨＯガスを含む混合気体」を、外気を含まずに圧入しガス密度を上げ点火し、水蒸気爆発を意図的に発生させ、発生した高圧の水蒸気でタービンを回す。
１４、連続または間欠して水蒸気爆発を発生すると蒸気の噴出気流でタービンは連続して回転する。
１５、タービンの形状はとくにはなく、既存の蒸気タービン、ガスタービン等が運転できる。
１６、この「加圧された水蒸気とＨＨＯガスを含む混合気体」のみの連続燃焼機関は水以外排出ガスを出さない。
１７、タービンエンジンは大気に依存しない。
１８、排気を復水器で水に戻しガス発生装置に戻す事で排気を外部に出すこともない。大気中に排出してもよい。
１９、燃焼室の出口に、タービンの入り口を取り付けタービンの出口に、復水器又は外気開放する、燃焼室に、この「加圧された水蒸気とＨＨＯガスを含む混合気体」を、外気を含まずに圧入しガス密度を上げ点火し、水蒸気爆発を意図的に発生させ、発生した高圧の水蒸気でタービン軸に直結したファンで推進するジェットエンジンである。
２０、タービン軸に減速機とスクリューで水中を推進する装置である。
２１、装置の内部、外部に防音処理を施して置くと水中での駆動音、スクリューのキャビテーション音が消音される。
２２、連続または間欠して水蒸気爆発を発生すると蒸気の噴出気流でタービンは連続して回転する。
２３、タービンの形状はとくにはなく、既存の蒸気タービン、ガスタービン等が運転できる。排気を復水器で水に戻しガス発生装置に戻す事で排気を外部に出すこともない。水中に排出してもよい。
２４、この「加圧された水蒸気とＨＨＯガスを含む混合気体」のみの燃焼は水以外排出ガスを出さない。
２５、タービンエンジンは大気に依存しない。
２６、排気を復水器で水に戻しガス発生装置に戻す事で排気を外部に出すこともない、大気中に排出してもよい。
２７、燃焼室をもうけ、推進装置でこの「水蒸気とＨＨＯガスを含む混合気体の液化」した物を、連続または間欠して水蒸気爆発を生させた高圧の水蒸気が推進装置から噴射し推進する。
２８、この推進装置は環境に影響を受けずに推進する。つまり真空、水、窒素、二酸化炭素、ヘリウム、アルゴン等の環境でも推進する。大気に依存しない推進装置である。
２９、構造が単純なため、ＤＩＹの知識があれば、ホームセンターで手に入る材料で基本構造を製作できる。
３０、燃焼過程が連続的・断続的であるために高効率を達成できる。
３１、吸気口は無く、燃焼室が広がっており、ノズルが狭くなっているのが必須の構成要素である。
３２、燃焼室をもうけ「加圧された水蒸気とＨＨＯガスを含む混合気体」を、連続または間欠して水蒸気爆発を生させた任意の圧力の蒸気を発生する単純な構造の蒸気発生装置である。
３３、燃焼室をもうけ「加圧された水蒸気とＨＨＯガスを含む混合気体」を、連続または間欠して水蒸気爆発を生させ周囲の水に直接熱交換器し温水を発生する簡単な構造の温水発生装置である。
【図面の簡単な説明】
【０００８】
【図１】  「加圧された水蒸気とＨＨＯガスを含む混合気体」の発生装置
【図２】  「加圧された水蒸気とＨＨＯガスを含む混合気体」の利用方法（１）
【図３】  「加圧された水蒸気とＨＨＯガスを含む混合気体」の利用方法（２）
【図４】  「加圧された水蒸気とＨＨＯガスを含む混合気体」の利用方法（３）
【図５】  「加圧された水蒸気とＨＨＯガスを含む混合気体」の利用方法（４）
【図６】  「加圧された水蒸気とＨＨＯガスを含む混合気体」の利用方法（５）
【図７】  「加圧された水蒸気とＨＨＯガスを含む混合気体」の利用方法（６）
【図８】  「加圧された水蒸気とＨＨＯガスを含む混合気体」の利用方法（７）
【発明を実施するための形態】
【０００９】
【実施例１】
【００１０】「加圧された水蒸気と水素と酸素の混合気体」の発生装置圧
共通の圧力容器１−１の下部液相部１−３に電解液を入れ、液中にＨＨＯガス（ブラウンガス）の発生装置１−６を組み込み、上部の気相部１−２に発生した気体の蓄積空間を設けて、液面に気液分離装置（金属またはセラミックで作られたデミスター）１−５を設置して、汽液分離を促進する。
容器１−１の上部の気相部１−２に「加圧された水蒸気とＨＨＯガスを含む混合気体」の出口弁１−１１を設置する。
弁１−１１と逆火防止器１−２４の出口に配管１−１２を取り付けて「加圧された水蒸気とＨＨＯガスを含む混合気体」を通過して使用され本体の安全を確保する。
移温動体の揺れによる液面の変化は汽水分離装置１−５により吸収される。
液温の制御は容器１−１に設置した温度センサー１−８と制御装置１−２２で制御される熱交換器１−２３と加熱器１−７で、設定した目的の温度に制御される。
発生した蒸気、水素、酸素混合気体１−０の制御は容器１−１に設置した温度センサー１−９と制御装置１−２２で制御される加熱器１−１３で、設定した目的の温度に制御される。
圧力容器１−１内の圧力は、容器１−１に設置した圧力センサー１−１０と制御装置１−２２で制御されるガス発生装置と加熱器１−７、１−１３で、設定した目的の圧力に制御される。
容器内の水位は、容器に設置した水位センサー１−４と制御装置１−２２で制御される給水装置１−２１で、弁１−１９を開き設定した目的の水位に制御される。
電解液の濃縮されるのを防ぐ。
電解液の汚染度は容器に設置したセンサー１−１５と制御装置１−２２の電極電流の低下で判断され、弁１−２０を開き排水される。
電解液は容器下部に設置した弁１−１４、センサー１−１５、ろ過機Ａ１−１６、ろ過機Ｂ１−１７、熱交換器１−２３、給水装置１−２１、容器に設置した弁１−１４を通って循環する。汚染度センサーが汚染を検出した時制御装置１−２２で制御される、排水弁１−２０から排水される。
【実施例２】
【０００１】  「加圧された水蒸気とＨＨＯガス含む混合気体」の利用方法について下記に説明する。
このガスは「加圧された水蒸気とＨＨＯガスを含む混合気体」を燃料として供給する事を特徴としている。
▲１▼炭素と含む可燃物と大気に依存しないエンジン
このエンジンの燃料は「加圧された水蒸気とＨＨＯガスを含む混合気体」である事を特徴徴としている。
金属またはセラミックで作成したシリンダー・ローターハウジングとピストン・ローターの間で容積の変化が軸の回転にかわる構造の設備の燃焼室で、このガス中に存在する水素とこのガス中に存在する酸素を「間欠燃焼」した時、燃焼室のＨＨＯガスは高温で燃焼し、その熱でこのガス中の水分が水蒸気爆発を発生する。
そのときシリンダー・ローターハウジングとピストン・ローターの間の容積は変化して軸の回転にかわる。
従ってこのガスを既存のピストンエンジン、ロータリーエンジンの駆動燃料として利用できる。
これの機関の吸気部を改造するだけで使用できる。
４サイクル機関を例で説明する。
弁の入口に直接、大気と遮断し、燃料ガス配管を接続し「加圧された水蒸気とＨＨＯガスを含む混合気体」を供給する。
ピストンを上死点から下死点に移動するとき同時に吸気バルブを開き「加圧された水蒸気とＨＨＯガスを含む混合気体」の発生装置で発生した燃料ガスが押し込まれる。
シリンダー内部には「加圧された水蒸気とＨＨＯガスを含む混合気体」を大量に吸気する。
ピストンが下死点を過ぎたとき吸気バルブが閉鎖し上死点に向かう時シリンダー内部の「加圧された水蒸気とＨＨＯガスを含む混合気体」は更に加圧される。
シリンダー内部の圧力ガス中の蒸気は圧力上昇と共に凝縮されて水になる。
シリンダーが上死点を超えた時、点火プラグの火花でガス中のＨＨＯガスが燃焼し水蒸気になる同時に高温が発生する。
同時にシリンダー内部の水が高熱で水蒸気爆発し、体積は膨張しピストンは押し下げられ下死点を通過した時、排気バルブが開きピストン上死点に達するまでに排気される。
以上の工程を繰り返しエンジンは動く。
この「加圧された水蒸気とＨＨＯガスを含む混合気体」を内燃機関のシリンダー内部に外気を含まずに「加圧された水蒸気とＨＨＯガスを含む混合気体」をピストン室内部で更に加圧したのち点火し、水蒸気爆発を意図して起こす。
このエンジンは大気中の酸素に依存しない。
このエンジンは燃料に炭素を含まず地球環境を汚染しない。
排気を復水器で水に戻しガス発生装置に戻す事で排気を外部に出すこともない。
▲２▼炭素と含む可燃物と大気に依存しないタービン
このガスは「加圧された水蒸気とＨＨＯガスを含む混合気体」である事を特徴とする。
金属またはセラミックで作成した燃焼室に外気を含まずに「加圧された水蒸気とＨＨＯガスを含む混合気体」を圧入しガス密度を上げたのち間欠的または連続的に点火し、水蒸気爆発を意図して起こす。
燃焼室の出口にタービンの入り口を取り付けタービンの出口に復水器又は外気開放する、圧力容器に、この「加圧された水蒸気とＨＨＯガスを含む混合気体」を、外気を含まずに圧入しガス密度を上げ点火し、水蒸気爆発を意図的に発生させ、発生した高圧の水蒸気でタービンを回し負荷を回す。
連続または間欠して水蒸気爆発を発生すると圧力差でタービンは連続して回転する。
タービンの形状はとくにはない。
既存の蒸気タービン、ガスタービン等が運転できる。
燃焼室とタービン分離し配管で接続してもよい。
このガスのみの連続燃焼機関は水以外排出ガスを出さない。
エンジンは大気に依存しない。
このエンジンは燃料に炭素を含まず地球環境を汚染しない。
排気を復水器で水に戻しガス発生装置に戻す事で排気を外部に出すこともないし大気中に排出してもよい。
▲３▼素と含む可燃物と大気に依存しない推進装置
このエンジンの燃料は「加圧された水蒸気とＨＨＯガスを含む混合気体」である事を特徴としている。
金属またはセラミックで作成した燃焼室に外気を含まずに「加圧された水蒸気とＨＨＯガスを含む混合気体」を圧入しガス密度を上げたのち点火し、水蒸気爆発を意図して起こす。
燃焼室の出口にタービンの入り口を取り付け一体化し発生した高圧の水蒸気でタービンを回す。
連続または間欠して水蒸気爆発を発生すると圧力差でタービンは連続して回転する。
タービンの出口に外気開放し噴出するここで推進力となる。
またタービンと同軸上にファンを取付け前部から空気を吸収圧縮し後部から噴出するここで推進力となる。
この「加圧された水蒸気とＨＨＯガスを含む混合気体」のみの完結または連続燃焼機関は水以外排出ガスを出さない。
タービンエンジンは大気に依存しない。
このエンジンは燃料に炭素を含まず地球環境を汚染しない。
排気を復水器で水に戻しガス発生装置に戻す事で排気を外部に出すこともないし大気中に排出してもよい。
▲４▼「炭素を含む可燃物」と「大気」に依存しない「水中での推進装置」
このエンジンの燃料は「加圧された水蒸気とＨＨＯガスを含む混合気体」である事を特徴としている。
金属またはセラミックで作成した燃焼室に外気を含まずに「加圧された水蒸気とＨＨＯガスを含む混合気体」を圧入しガス密度を上げたのち点火し、水蒸気爆発を意図して起こす。
燃焼室の出口にタービンの入り口を取り付け一体化し、発生した高圧の水蒸気でタービンを回す。
連続または間欠して水蒸気爆発を発生すると圧力差でタービンは連続して回転する。
タービンの出口に外気開放し噴出するここで推進力となる。
またタービンと同軸上に減速機とスクリューを取付け前部から水を吸収圧縮し後部から噴出するここで推進力となる。
この装置の内部、外部に防音処理を施して置くと水中での駆動音、スクリューのキャビテーション音が消音される。
このガスのみの連続燃焼機関は水以外排出ガスを出さない。
タービンエンジンは大気の酸素に依存しない。
このエンジンは燃料に炭素を含まず地球環境を汚染しない。
排気を復水器で水に戻しガス発生装置に戻す事で排気を外部に出すこともない。
▲５▼化した「水蒸気とＨＨＯガスを含む混合気体」で推進する装置。
このエンジンの燃料は「液化」した「水蒸気とＨＨＯガスを含む混合気体」である事を特徴としている。
「水蒸気とＨＨＯガスを含む混合気体」は水素ガスや酸素ガスより容易に液化する。
金属またはセラミックで作成した燃焼室に外気を含まずに「液化」した「水蒸気とＨＨＯガスを含む混合気体」を圧入し気化しガス密度を上げたのち点火し、連続または間欠して水蒸気爆発を意図して起こし大量の水蒸気の噴出で推進する装置である。
装置は「液化」した「水蒸気とＨＨＯガスを含む混合気体」」をひとつのタンクとひとつの弁とひとつのポンプと燃焼室と推進部と制御装置で単純に構成する事を特徴とする。
この「液体燃料のみの推進する装置」は水以外排出ガスを出さない。
この「液体燃料のみの推進する装置」は大気の酸素に依存しないため、宇宙、空中、水中等如何なる環境でも推進する装置である。
このロケットエンジンは燃料に炭素を含まず地球環境を汚染しない事である。
▲６▼炭素と含む可燃物と大気に依存しない「蒸気発生装置」
この「蒸気発生装置」の燃料は「加圧された水蒸気とＨＨＯガスを含む混合気体」である事を特徴としている。
金属またはセラミックで作成した燃焼室に外気を含まずに「水蒸気とＨＨＯガスを含む混合気体」を圧入したのち点火装置で点火し、水蒸気爆発を意図して起こす。
燃焼室の下部は水封されて、液面センサー、ポンプがあり制御装置で設定した値に制御される。
発生した蒸気は燃焼室の下部の開放部からデミスターを充填した蒸気室に貯まり蒸気室上部の弁からとりだされる。
蒸気室には圧力センサー、温度センサーがあり、下部には弁とポンプがあり制御装置  で設定した値に制御される。
この燃料が「加圧された水蒸気と水素と酸素を含む混合気体」である事は燃焼の結果、水以外排出ガスを出さない。
この「加圧された水蒸気と水素と酸素を含む混合気体」を燃料とする装置」は大気の酸素に依存しないため、宇宙、空中、水中等如何なる環境でも使用できる水蒸気発生装置である。
この装置は燃料に炭素を含まず地球環境を汚染しない。
▲８▼炭素と含む可燃物と大気に依存しない「温水発生装置」
この「温水発生装置」の燃料は「加圧された水蒸気とＨＨＯガスを含む混合気体」である事を特徴としている。
金属またはセラミックで作成した燃焼室  に外気を含まずに「加圧された水蒸気とＨＨＯガスを含む混合気体」を圧入したのち点火装置で点火し、水蒸気爆発を意図して起こす。
燃焼室の下部と温水室は水でみたされ、液面センサー、ポンプがあり制御装置で設定した値に制御される。
発生した蒸気  は燃焼室の下部の開放部からデミスターを充填した温水室で直接熱交換され温水になり、弁からとりだされる。
温水室は圧力センサー、温度センサーがあり、下部には弁とポンプがあり制御装置で設定した値に制御される。
この燃料が「加圧された水蒸気とＨＨＯガスを含む混合気体」である事は燃焼の結果、水以外排出ガスを出さない。
この「加圧された水蒸気とＨＨＯガスを含む混合気体」を燃料とする温水装置」は大気の酸素に依存しないため、宇宙、空中、水中等如何なる環境でも使用できる温水発生装置である。
以上が代表的な実施事例である。
【産業上の利用可能性】
【００１１】新しい産業革命となる。
新しいタイプの燃料ガスで環境負担がなく使用目的により炭素化合物の代替エネルギーになる。
使用目的により、従来の石油、天然ガス、メタン等の炭素化合物の代替エネルギーとなる。
既存のインフラ施設が使える。
消費地で作り、消費する事も、遠隔地で作り運搬する事もできるので産業の振興になる。
自然エネルギーで発電し、電気エネルギーを気体、液体燃料に変換し運搬する事もできるので送電線の敷設出来ない環境でも発電所を設置できる。
【符号の説明】
【００１２】１−１    圧力容器
１−２    気相部
１−３    液相部
１−４    水位センサー
１−５    気液分離装置（デミスター）
１−６    水素、酸素混合気体（ＨＨＯガス、ブラウンガス）の発生装置
１−７    加熱器
１−８    温度センサー
１−９    温度センサー
１−１０  圧力センサー
１−１１  ガス出口弁
１−１２  配管
１−１３  加熱器
１−１４  弁
１−１５  センサー
１−１６  ろ過機Ａ
１−１７  ろ過機Ｂ
１−１８  弁
１−１９  給水弁
１−２０  排水弁
１−２１  給水装置
１−２２  制御装置
１−２３  熱交換器
１−２４  逆火防止器
１−２５  給水
１−２６  排水
１−２７  「加圧された水蒸気と水素と酸素を含む混合気体」
２−１    エンジン本体
２−２    出力軸
２−３    負荷（発電機、スクリュー、車輪等）
２−４    燃料ガス配管
２−５    冷却水配管
２−６    復水器
２−７    ポンプ
２−８    「加圧された水蒸気と水素と酸素を含む混合気体亅の発生装置
２−９    弁
３−１    燃焼室
３−２    配管または燃焼室出口
３−３    タービン
３−４    タービン軸
３−５    負荷（発電機、スクリュー、車輪等）
３−６    点火装置
３−７    冷却水配管
３−８    復水器
３−９    ポンプ
３−１０  「加圧された水蒸気とＨＨＯガスを含む混合気体」の発生装置
４−１    本体（パイプ状）
４−２    燃焼室
４−３    燃焼室と一体化したタービン
４−４    タービン軸
４−５    タービン軸に取り付けられたファン
４−６    燃料パイプ
４−７    弁
４−８    空気
４−９    ジェット気流（噴出気流）
４−１０  点火装置
５−１    本体（パイプ状で内外部に消音処理）
５−２    燃焼室（内外部に消音処理）
５−３    燃焼室と一体化したタービン
５−４    タービン軸
６−５    スクリュー
６−６    燃料パイプ
５−７    弁
５−８    水
５−９    ジェット水流（噴出水流）蒸気を復水しない時は蒸気の噴出はない。
５−１０  点火装置
５−１１  減速機（外部に消音処理）
５−１２  タービン室（内外部に消音処理）
５−１３  冷却水
５−１４  復水器
５−１５  ポンプ
５−１６  「加圧された水蒸気とＨＨＯガスを含む混合気体」の発生装置
６−１    本体
６−２    「加圧された水蒸気とＨＨＯガスの混合気体」の「液体」燃料タンク
６−３    弁
６−４    ポンプ
６−５    燃焼室
６−６    水蒸気の噴出
６−７    推進部
６−８    ペイロード
７−１    本体
７−２    燃焼室
７−３    燃料パイプ
７−４    点火装置
７−５    「加圧された水蒸気とＨＨＯガスの混合気体」
７−７    水蒸気
７−８    弁
７−９    圧力センサー
７−１０  温度センサー
７−１１  水
７−１２  水位センサー
７−１３  ポンプ
７−１４  給水
７−１５  温水室に充填されている多孔質の充填物又はデミスター
８−１    本体
８−２    燃焼室
８−３    燃料パイプ
８−４    点火装置
８−５    「加圧された水蒸気とＨＨＯガスの混合気体」
８−６    温水室
８−７    温水
８−８    温水出口パイプと弁
８−９    圧力センサー
８−１０  温度センサー
８−１１  燃焼室開放部
８−１２  空白
８−１３  弁
８−１４  給水ポンプ
８−１５  温水室に充填されている多孔質の充填物又はデミスター
【図１】
2018031067.tif 000003
【図２】
2018031067.tif 000004
【図３】
2018031067.tif 000005
【図４】
2018031067.tif 000006
【図５】
2018031067.tif 000007
【図６】
2018031067.tif 000008
【図７】
2018031067.tif 000009
【図８】
2018031067.tif 000010